(57)【要約】      （修正有）【課題】身体のあらゆる部位に容易に配置でき、人工透析中の血液の漏れなどを早期に検知することができる水分センサを提供する。【解決手段】水分センサ１１は、互いに積層されたメインシート、サブシート３２、及び防水シートを備える。各シートは、細長帯状である。メインシート及びサブシートは、吸水性を有する。メインシートの上面に、長手方向に沿って延設され且つ短手方向に所定距離を隔てて並設された一対の電極３６、３７、及び一対の電極を架け渡すように電気抵抗素子２９が印刷配置されている。サブシートは、メインシートの上面を覆っている。防水シートは、メインシートの下面を覆っている。水分センサは、Ｕ字形状に折りたたまれた状態で、患者の患部に刺された注射針を囲むように患部に貼り付けられて使用される。【選択図】図４
0003190733.tif 000002
【実用新案登録請求の範囲】
【請求項１】
吸水性を有する第１シートと、
上記第１シートの上面に、上記第１シートの長手方向に沿って延設され且つ上記第１シートの短手方向に所定距離を隔てて並設された一対の線状電極と、
乾燥時に絶縁性を示すと共に吸水時に導電性を示す導電性接着剤を介して上記一対の線状電極を挟み込むように上記第１シートの上面に接着された第２シートとを備え、
上記一対の線状電極は、導電性インクからなり、
上記第１シートの下面に接着剤が付されており、
上記第１シートの上記短手方向の長さは、１５ｍｍ〜２５ｍｍである水分センサ。
【請求項２】
上記第１シートの上面に上記一対の線状電極を架け渡すように配置された電気抵抗素子を備える請求項１に記載の水分センサ。
【請求項３】
上記電気抵抗素子は、上記第１シートの上記長手方向の一端部に配置されている請求項２に記載の水分センサ。
【考案の詳細な説明】
【技術分野】
【０００１】
本考案は、医療現場において血液などを検知する水分センサの構造に関するものである。
【背景技術】
【０００２】
水分を検知する装置が、医療現場において使用される。当該装置は、例えば、人工透析治療における抜針が原因となる血液の漏れの有無の検知に使用される。人工透析中の血液の漏れの事故は確実に防止されなければならないが、人間の注意力に頼る方法には限界があるためである。特許文献１には、人工透析中における血液の漏れを正確に検知することができる水分検知装置が提案されている。
【０００３】
図６は、人工透析治療に使用される従来の水分検知装置１の模式図である。同図が示すように、水分検知装置１に採用されている水分センサ２は、吸水材５を備えている。吸水材５は、乾燥状態で電気絶縁性を示す上敷３及び下敷４を有する。上敷３及び下敷４は、吸水性を備えている。下敷４と上敷３との間に電気抵抗素子６を含む電極７が挟まれている。水分センサ２において、電気抵抗素子６の抵抗値は、例えば２０ｋΩ程度に設定されている。そして、透析治療中における抜針等による血液の漏れが存在する場合に、電極７間が血液により導通され、当該電極７間の導電率が高められる。具体的には、上記抵抗値は、数ｋΩまで低下するように設定されている。
【０００４】
この抵抗値の低下によって電極７間を流れる電流が増加する。当該電流は、コネクタＣを介して報知装置Ｓへ流れる。報知装置Ｓは、流れる電流の増加により警報音を発したりＬＥＤを点灯させたりする。このように、従来の水分センサ２では、抜針等による血液の漏れが確実に検知され、報知装置Ｓによってその旨が報知される。
【０００５】
図７は、従来の水分検知装置１の使用状態を示す斜視図である。同図が示すように、水分センサ２は、人工透析を受ける患者の前腕の下方に敷かれる。水分センサ２は、患者の腕から血液が漏れた場合に、この血液を受け止めることができる範囲に敷かれる。
【先行技術文献】
【特許文献】
【０００６】
【特許文献１】特開２０１２−１９６２９３号公報
【考案の概要】
【考案が解決しようとする課題】
【０００７】
しかし、水分センサ２が図７に示される状態で使用される場合、報知装置Ｓは、漏れた血液が患者の前腕を伝って水分センサ２に達するまで、血液の漏れを報知しない。このため、看護師が報知装置Ｓの報知によって血液の漏れに気づくまでの間に、多量の血液が患者の体内から漏れてしまう。
【０００８】
また、注射針は、人工透析治療の際に、必ずしも患者の前腕に刺されるとは限らず、例えば患者の頸部や鼠蹊部の血管に刺されることもある。この場合、水分センサ２を適切に配置することは難しく、血液の漏れを検知することは困難であった。
【０００９】
そこで、本考案の目的は、身体のあらゆる部位に容易に配置でき、人工透析中の血液の漏れなどを早期に検知することができる水分センサを提供することである。
【課題を解決するための手段】
【００１０】
(1) 上記目的が達成されるため、本考案に係る水分センサは、吸水性を有する第１シートと、上記第１シートの上面に、上記第１シートの長手方向に沿って延設され且つ上記第１シートの短手方向に所定距離を隔てて並設された一対の線状電極と、乾燥時に絶縁性を示すと共に吸水時に導電性を示す導電性接着剤を介して上記一対の線状電極を挟み込むように上記第１シートの上面に接着された第２シートとを備える。上記一対の線状電極は、導電性インクからなる。上記第１シートの下面に接着剤が付されている。上記第１シートの上記短手方向の長さは、１５ｍｍ〜２５ｍｍである。
【００１１】
第１シートは帯状である。そのため、第１シートは、患者の体における注射針が刺される箇所の周辺の形状に応じて、屈曲させたり湾曲させたりした状態で、第１シートの下面に付された接着剤によって貼り付けることができる。そのため、水分センサは、身体のあらゆる部位に容易に配置できる。このとき、第１シートは、一対の線状電極の少なくとも一部が上述した箇所よりも重力方向の下方となり且つ上述した箇所の近傍となるように貼り付け可能である。
【００１２】
このように第１シートが患者に貼り付けられることにより、上述した箇所から漏れた血液は、すぐに第１シートに到達する。そして、第１シートに配置された一対の線状電極間が血液により導通されることによって、一対の線状電極間の抵抗値が低下する。そして、この抵抗値の低下によって増加する一対の線状電極間を流れる電流値を検出することによって、血液の漏れを検知することができる。つまり、第１シートが上述した箇所の近傍に配置されるため、血液の上述した箇所からの漏れをすぐに検知することができる。
【００１３】
また、第１シートの下面に接着剤が付されているため、第１シートは、テープなどの他の部材を使用することなく、患者に貼り付け可能である。
【００１４】
また、第１シートの短手方向の長さが１５ｍｍ以上であるため、各線状電極の幅（短手方向の長さ）を細すぎない長さに保持しつつ、一対の線状電極を短手方向に所定距離を隔てて配置することができる。また、第１シートの短手方向の長さが２５ｍｍ以下であるため、所定距離がさほど大きくならない。これにより、一対の線状電極間が血液により導通されるまでに漏れる血液量を少なくすることができる。
【００１５】
また、上述したように、水分センサは、身体のあらゆる部位に容易に配置できる。そのため、水分センサは、人工透析治療における血液の漏れ以外の水分の漏れの検知、例えば手術後の傷口からの出血の有無の検知に使用することができる。
【００１６】
(2) 上記第１シートの上面に上記一対の線状電極を架け渡すように配置された電気抵抗素子を備える。
【００１７】
一対の線状電極に断線が発生していない状態では、一対の線状電極間に電気抵抗素子の抵抗値に応じた電流が流れる。一方、一対の線状電極に断線が発生した状態では、一対の線状電極間に電流が流れない。よって、本構成によれば、一対の線状電極間に電流が流れているか否かによって、一対の線状電極に断線が発生しているか否かを確認することができる。
【００１８】
(3) 上記電気抵抗素子は、上記第１シートの上記長手方向の一端部に配置されている。
【００１９】
一対の線状電極間を流れる電流値を検出するための装置が第１シートの長手方向の他端部と接続された場合、当該電流は、第１シートの長手方向の一端部及び他端部の間の範囲に存在する線状電極を流れる。つまり、上記装置が第１シートの長手方向の他端部と接続された場合、第１シートの長手方向の一端部及び他端部の間の範囲、つまり第１シートの長手方向の殆どの範囲を、血液の漏れの検知のために利用することができる。
【考案の効果】
【００２０】
本考案によれば、第１シートを屈曲させたり湾曲させたりして注射針の刺された箇所の近傍に配置することができる。そのため、水分センサは、身体のあらゆる部位に容易に配置でき、人工透析中の血液の漏れなどを早期に検知することができる。
【図面の簡単な説明】
【００２１】
【図１】図１は、本考案の一実施形態に係る水分検知装置１０の模式図である。
【図２】図２は、水分センサ１１の構造を模式的に示す斜視図である。
【図３】図３は、水分検知装置１０の配線図である。
【図４】図４は、水分検知装置１０の使用状態を示す斜視図である。
【図５】図５は、変形例に係る水分検知装置１０の使用状態を示す斜視図である。
【図６】図６は、人工透析治療に使用される従来の水分検知装置１が示された概念図である。
【図７】図７は、従来の水分検知装置１の使用状態を示す斜視図である。
【考案を実施するための形態】
【００２２】
以下、適宜図面が参照されつつ、好ましい実施形態に基づいて本考案が詳細に説明される。
【００２３】
図１は、本考案の一実施形態に係る水分検知装置１０を模式的に示す図である。
【００２４】
この水分検知装置１０は、主として人工透析治療において患者からの出血を監視する。この水分検知装置１０は、水分センサ１１を備えている。治療中において、水分センサ１１が患者の腕に貼り付けられ、万一血液が漏れた場合には、水分センサ１１がそのことを検知する。水分センサ１１は、コネクタ１４を介して報知器１３と連結されている。報知器１３はブザー１２を備えており、水分センサ１１が血液漏れを検知したときにブザー１２が鳴るようになっている。
【００２５】
なお、本実施形態では、水分検知装置１０が人工透析中における血液の漏れを監視するために使用されるが、この水分検知装置１０は、他の用途、例えば輸液中における液体の漏れを監視する装置や、手術後の傷口からの血液の漏れを監視する装置などとして使用され得る。
【００２６】
また、本実施形態では、水分センサ１１は患者の腕に貼り付けられるが、水分センサ１１は腕以外に貼り付けられてもよい。例えば、この水分検知装置１０が人工透析治療に用いられる場合、水分センサ１１の貼り付け箇所は、例えば、腕の他に頸部や鼠蹊部である。
【００２７】
１．水分センサ１１の構造
【００２８】
図１が示すように、水分センサ１１は、帯状に形成されている。水分センサ１１は、厚みが薄く柔軟性を有する。水分センサ１１の長手方向１０１の一端部１０３に、後述する電気抵抗素子２９が配置されている。水分センサ１１の長手方向１０１の他端部１０４に、コネクタ１４が取り付けられている。
【００２９】
図２は、水分センサ１１の構造を模式的に示す斜視図である。図２において下方が、この水分センサ１１が使用される状態で患者の腕と接触する側である。
【００３０】
図２が示すように、水分センサ１１は、７層構造を有する。すなわち、水分センサ１１は、一対の電極３６、３７（本考案における「線状電極」の一例）及び後述する電気抵抗素子２９を備えたメインシート３１と、このメインシート３１の上方に配置されたサブシート３２（本考案における「第２シート」の一例）と、このメインシート３１の下方に配置された防水シート３３と、この防水シート３３の下方に配置された剥離シート４０とを有している。メインシート３１とサブシート３２との間に導電性接着剤３４が介在されている。メインンシート３１と防水シート３３との間に通常の接着剤３５が介在されている。防水シート３３と剥離シート４０との間に通常の接着剤４１が介在されている。メインシート３１、防水シート３３、及び接着剤３５で構成されるシートが、本考案における「第１シート」の一例である。
【００３１】
長手方向１０１における水分センサ１１の長さは、４００ｍｍ〜６００ｍｍ程度に設定される。長手方向１０１に直交する短手方向１０２における水分センサ１１の長さは、１５ｍｍ〜２５ｍｍ程度に設定される。なお、上述した水分センサ１１の長手方向１０１及び短手方向１０２の長さは、この水分センサ１１が患者の腕に図４に示される態様で貼り付けられて使用される場合の長さである。したがって、水分センサ１１の長手方向１０１及び短手方向１０２の長さは、この水分センサ１１の使用態様（例えば、水分センサ１１が患者に貼り付けられる際に湾曲された状態であるか否かや、水分センサ１１が患者の何れの箇所に貼り付けられるかなど）によって、上述した長さ以外に設定され得る。
【００３２】
メインシート３１は、細長帯状に形成されており、本実施形態では和紙からなる。メインシート３１を構成する材料は和紙に限定される必要はない。要するに、吸水性に富み、水に溶けにくく、乾燥状態において電気絶縁性を有するものであれば紙のほか布等もメインシート３１の材料として採用され得る。メインシート３１の厚さは、０．３ｍｍ〜０．８ｍｍ程度に設定される。
【００３３】
電極３６、３７は、銀ペーストインクによって構成されている。なお、電極３６、３７は、導電性インクであれば、銀ペーストインクに限らず、例えば導電性を有する水溶性のカーボンインクであってもよい。電極３６、３７は、メインシート３１の上面３８（図２参照）に印刷されている。電極３６、３７は、水分センサ１１の一端部１０３から他端部１０４へ向けて長手方向１０１に沿って線状に延びている。電極３６、３７は、他端部１０４において、電極端子を構成している。コネクタ１４が、この電極端子と接触した状態で、水分センサ１１の他端部１０４に取り付けられる。
【００３４】
両電極３６、３７は、短手方向１０２に沿って所定距離だけ隔てて配置されている。図２が示すように、両者間の隙間ｓは、５ｍｍ〜２０ｍｍ程度に設定される。各電極３６、３７の幅ｗは、２ｍｍ〜１０ｍｍ程度に設定される。本実施形態では、各電極３６、３７は、銀ペーストインクを用いたシルク印刷により構成される。したがって、各電極３６、３７の厚さ寸法は、きわめて小さく設定され、その結果、メインシート３１の柔軟性が損なわれることがない。
【００３５】
サブシート３２は、メインシート３１と同様の細長帯状に形成されており、メインシート３１の上面３８を完全に覆っている。サブシート３２も本実施形態では和紙からなり、その厚さは、０．３ｍｍ〜０．８ｍｍ程度に設定される。サブシート３２を構成する材料も和紙に限定されず、要するに、吸水性に富み、水に溶けにくく、乾燥状態において電気絶縁性を有するものであればよい。なお、サブシート３２は、省略されてもよい。
【００３６】
導電性接着剤３４には、本実施形態では、食塩が混練された水溶性接着剤が採用されている。なお、サブシート３２がメインシート３１に接着される前に予めサブシート３２に食塩水が吸収され、乾燥されてもよい。これにより、一対の電極３６、３７は、メインシート３１及びサブシート３２によって挟み込まれ、導電性接着剤３４及びサブシート３２が乾燥した状態で電気的に絶縁され、導電性接着剤３４またはサブシート３２が吸水した状態で電気的に導通される。
【００３７】
導電性接着剤３４として、具体的には、たとえば馬鈴薯澱粉１質量％以上５質量％以下、食塩５質量％以上２１質量％以下及び水が７４質量％以上９４質量％以下からなる糊が採用され得る。この食塩の量は、常温で水に溶解し得る飽和溶解度付近の量でもよい。この糊は、水、食塩及び馬鈴薯澱粉が混合され、加熱しながら撹拌されることによって生成される。そして、この撹拌生成物が均一な粘稠性を呈すれば、これが冷却されることにより、導電性の糊が製造される。なお、導電性接着剤３４は、省略されてもよい。
【００３８】
防水シート３３は、メインシート３１と同様の細長帯状に形成されており、メインシート３１の下面を完全に覆っている。防水シート３３は、例えば、ポリエチレンテレフタレートフィルムからなる。このポリエチレンテレフタレートフィルムは柔軟性に富むので、水分センサ１１の柔軟性が損なわれることがない。防水シート３３を構成する材料はこれに限定されるものではなく、エチレン酢酸ビニル共重合体フィルム、ポリテトラフルオロエチレンフィルム等も採用され得る。なお、防水シート３３は、省略されてもよい。防水シート３３が省略された場合、メインシート３１が本考案における「第１シート」に相当する。
【００３９】
防水シート３３をメインシート３１に接着する接着剤３５、つまり防水シート３３の上面に付される接着剤３５は、ウレタン糊その他の汎用の工業用糊が採用され得る。防水シート３３が省略される場合、接着剤３５も省略されることは言うまでもない。
【００４０】
防水シート３３の下面に付される接着剤４１は、アクリル系粘着剤、ゴム系粘着剤、シリコン系粘着剤その他の絆創膏などに使用される粘着剤が採用され得る。なお、防水シート３３が省略された構成の場合、接着剤４１は、メインシート３１の下面に付される。
【００４１】
剥離シート４０は、メインシート３１と同様の細長帯状に形成されており、防水シート３３の下面を完全に覆っている。剥離シート４０は、基材となるグラシン紙などの紙と、接着剤４１に接する剥離層とで構成されている。剥離層は、例えば、シリコン樹脂からなる。水分センサ１１が未使用状態のとき、剥離シート４０は接着剤４１を介して防水シート３３に接着された状態である。水分センサ１１が使用されるとき、剥離シート４０は、防水シート３３から剥離される。そして、水分センサ１１は、接着剤４１によって患者の腕に貼り付けられる。
【００４２】
図１が示すように、電気抵抗素子２９は、水分センサ１１の長手方向１０１の一端部１０３に配置されている。電気抵抗素子２９は、メインシート３１の上面３８に、一対の電極３６、３７間を架け渡すように配置されている。これにより、電極３６、３７間が電気的に接続される。この電気抵抗素子２９が配置されることにより、サブシート３２及び導電性接着剤３４に水分が含まれていないときであっても電極３６、３７間が通電される。この電気抵抗素子２９によって電極３６、３７間が導通されることにより、水分センサ１１が作動可能状態（電極３６、３７に断線等が発生していないこと）であることが、高い電圧の印加を必要とすることなく容易に確認され得る。
【００４３】
電気抵抗素子２９の抵抗値は通常、２０ｋΩから５ｋΩ程度に設定される。このため、サブシート３２及び導電性接着剤３４が乾燥状態にあるとき、電極３６、３７間の電気抵抗が電気抵抗素子２９の抵抗値と略同一となる。一方、サブシート３２及び導電性接着剤３４に水分が存在するとき、当該水分によって電極３６、３７間が通電されるため、電極３６、３７間の電気抵抗が急激に低下する。したがって、水分センサ１１は、水分の存在、すなわち、出血の有無を確実に検知することができる。
【００４４】
この電気抵抗素子２９も導電性インクを用いて印刷形成され得る。電気抵抗素子２９を構成する導電性インクには、カーボンインクが好適に用いられる。このカーボンインクに用いられるカーボンとしては、フェノール樹脂、フルフリルアルコール、塩化ビニリデン、セルロース、木等の難黒鉛化性材料が好ましい。この導電性インクは、カーボン粉末とフェノール、エポキシ等の樹脂からなるバインダとが混練されてペースト化されて作成される。
【００４５】
電気抵抗素子２９を構成する導電性インクは、メインシート３１の上面３８に印刷される。この電気抵抗素子２９は、メインシート３１の上面３８において、上述した電極端子が配置されている側（水分センサ１１の長手方向１０１の他端部１０４）の辺と相対する他方の辺の端部付近、つまり水分センサ１１の一端部１０３付近に印刷されている。この電気抵抗素子２９は、メインシート３１の短手方向１０２全体に亘って印刷されている。電気抵抗素子２９の幅寸法、つまり電気抵抗素子２９の長手方向１０１における長さは、約３ｍｍから５ｍｍに設定され得る。なお、本実施形態では、この電気抵抗素子２９の上に交差するように重ねて電極３６、３７が印刷されている。
【００４６】
図３は、この水分センサ１１が用いられた水分検知装置１０の基本構成が示された配線図である。
【００４７】
この水分検知装置１０は、分割された抵抗回路Ｃ１、Ｃ２、Ｃ３と、比較器Ｈ１、Ｈ２と、ブザーＢＺ１、ＢＺ２と、発光ダイオードＬＲ１、ＬＲ２、ＬＢと、抵抗ｒ４、ｒ５とを備えている。抵抗回路Ｃ１、Ｃ２、Ｃ３と、比較器Ｈ１、Ｈ２と、ブザーＢＺ１、ＢＺ２と、発光ダイオードＬＲ１、ＬＲ２、ＬＢと、抵抗ｒ４、ｒ５とは、報知器１３に搭載されている。この水分検知装置１０では、各抵抗回路Ｃ１〜Ｃ３の出力値が比較されて、その結果に基づいて、後述されるように択一的に５種類の信号が発せられる。
【００４８】
図３において、水分センサ１１の抵抗Ｒ０（図１における電気抵抗素子２９）は２０ｋΩに設定されている。抵抗回路Ｃ１は、電源及び抵抗ｒ１（＝２０ｋΩ）からなり、抵抗回路Ｃ２は、抵抗ｒ２（＝１００ｋΩ）と可変抵抗Ｒ１（＝１０ｋΩから２０ｋΩ）からなり、抵抗回路Ｃ３は、抵抗ｒ３（＝２０ｋΩ）及び可変抵抗Ｒ２（＝５０ｋΩから１００ｋΩ）からなる。水分検知装置１０の配線が正常に接続されている場合は、電源の電圧Ｖ０が、抵抗Ｒ０に作用する電圧と抵抗ｒ１に作用する電圧とに分散され、比較器Ｈ１の負の信号入力端子及び比較器Ｈ２の正の信号入力端子に入力する。水分センサ１１が未接続又は接触不良を起こしている場合には、電源の電圧Ｖ０の抵抗ｒ１による電圧降下分だけの値が比較器Ｈ１及び比較器Ｈ２に入力される。抵抗回路Ｃ２では、比較器Ｈ２の負の信号入力端子に、例えば、可変抵抗Ｒ１が２０ｋΩの場合、Ｖ０×Ｒ１／（ｒ２＋Ｒ１）＝Ｖ０／６の電圧が印加される。抵抗回路Ｃ３では、比較器Ｈ１の正の信号入力端子に、可変抵抗Ｒ２が１００ｋΩの場合、Ｖ０×Ｒ２／（ｒ３＋Ｒ２）＝Ｖ０×５／６の電圧が印加される。
【００４９】
比較器Ｈ１の出力端子には、抵抗ｒ４（＝４７０ｋΩ）、赤色発光ダイオードＬＲ１及びブザーＢＺ１を介して上記電源が接続されている。比較器Ｈ２の出力端子には、抵抗ｒ４（＝４７０ｋΩ）、赤色発光ダイオードＬＲ２及びブザーＢＺ２を介して上記電源が接続されている。上記電源の電圧Ｖ０は、抵抗ｒ４及び抵抗ｒ５（＝４７０ｋΩ）を介して接地されている。比較器Ｈ１及び比較器Ｈ２の出力端子は、二入力アンドゲートＡＧの各信号入力端子に接続されている。二入力アンドゲートＡＧの出力端子は、青色発光ダイオードＬＢに接続されている。
【００５０】
水分センサ１１が未接続の場合、比較器Ｈ１の出力が低レベルになる。この比較器Ｈ１の低レベルの出力が赤色ダイオードＬＲ１を発光させ、ブザーＢＺ１を鳴らす。水分センサ１１が接続された場合、比較器Ｈ１及び比較器Ｈ２の二つの出力が高レベルになる。これら二つの信号が入力される二入力アンドゲートＡＧの出力が高レベルに切り換り、青色発光ダイオードＬＢを発光させる。水分センサ１１が血液を含み、電極１９間の抵抗が数十Ωにまで低下した場合、比較器Ｈ２の出力が低レベルになり、赤色発光ダイオードＬＲ２及びブザーＢＺ２を作動させる。
【００５１】
２．水分検知装置１０の使用要領
【００５２】
この水分検知装置１０は、次の要領で使用される。図４は、水分検知装置１０が人工透析治療に使用される場合の使用状態を示している。同図が示すように、水分センサ１１は、人工透析治療において血液の漏れを監視するために使用される。
【００５３】
水分センサ１１は、剥離シート４０が剥離された後に、患者の腕に貼り付けられる。貼り付け手順について詳述すると、水分センサ１１は、概ねＵ字形状に折りたたまれる。次に、水分センサ１１は、Ｕ字形状の底の湾曲線に相当する部分において接着剤４１が露出し、且つＵ字形状の底から延びた一対の直線に相当する一対の部分においてサブシート３２が露出した状態で、患者の腕に貼り付けられる。このとき、水分センサ１１は、サブシート３２が露出した一対の部分が人工透析用チューブ８３、８４の先端に設けられた注射針を挟んだ状態で、患者の腕に貼り付けられる。また、このとき、水分センサ１１におけるサブシート３２が露出した一対の部分の少なくとも一方が、患者の腕における注射針が刺された箇所よりも重力方向の下方に位置するように、水分センサ１１は患者の腕に貼り付けられる。
【００５４】
以上のように、水分センサ１１が患者の腕に貼り付けられると、当該腕における注射針が刺された箇所から血液が漏れた場合に、血液は、重力方向の下方に向けて腕に沿って流れ、水分センサ１１によって受け止められる。これにより、血液がサブシート３２及び導電性接着剤３４を濡らす。その結果、電極３６、３７間が血液によって導通される。この電極３６、３７間の導通により、前述のようにブザーＢＺ２が作動する。
【００５５】
３．変形例
【００５６】
上述の実施形態では、水分センサ１１は概ねＵ字形状に折りたたまれて使用されたが、水分センサ１１は任意の形状で使用可能である。
【００５７】
例えば、水分センサ１１は、図５が示すように、折りたたまれない状態で使用されてもよい。この場合、水分センサ１１は、患者の腕における注射針が刺された箇所よりも重力方向の下方に位置するように、患者の腕に貼り付けられる。
【符号の説明】
【００５８】
１０・・・水分検知装置
１１・・・水分センサ
１２・・・ブザー
１３・・・報知器
１４・・・コネクタ
２９・・・電気抵抗素子
３１・・・メインシート
３２・・・サブシート
３３・・・防水シート
３４・・・導電性接着剤
３５・・・接着剤
３６・・・電極
３７・・・電極
３８・・・上面
４０・・・剥離シート
４１・・・接着剤
８３・・・人工透析用チューブ
８４・・・人工透析用チューブ
１０１・・・長手方向
１０２・・・短手方向
【図１】
0003190733.tif 000003
【図２】
0003190733.tif 000004
【図３】
0003190733.tif 000005
【図４】
0003190733.tif 000006
【図５】
0003190733.tif 000007
【図６】
0003190733.tif 000008
【図７】
0003190733.tif 000009